(57)【特許請求の範囲】
【請求項１】
前側一対の建枠（４ａ）（４ｂ）と、後側一対の建枠（４ｃ）（４ｄ）からなる 二対の建枠のうち、前側一対の建枠間に架設された複数階の踊り場床（５ａ）（５ｂ）（７ａ）（７ｂ）（９ａ）（９ｂ）と、後側一対の建枠間に上記踊り場床に対し高さ方向に段違いとなるように複数段に亘って架設されて外端部側で互いに独立して回動自在に枢支された二つ割りの回動踊り場床（６ａ）（６ｂ）（８ａ）（８ｂ）と、これらの回動踊り場床のうち一方の回動踊り場床（６ａ）（８ａ）の内端部に上端部が枢支された下りの階段（１１）（６２）と、回動踊り場床のうち他方の回動踊り場床（６ｂ）（８ｂ）の内端部に下端部が枢支された上りの階段（１２）（６５）と、回動踊り場床の下位にある踊り場床に対し下りの階段の下端部を移動自在に支持する第一のガイド部材（４４）と、回動踊り場床の上位にある踊り場床に対し上りの階段の上端部を移動自在に支持する第二のガイド部材（５５）とを備えた折り畳み階段装置において、前側一対の建枠（４ａ）（４ｂ）に第１の支持杆（１３）をそれぞれ設け、後側一対の建枠（４ｃ）（４ｄ）に上記支持杆（１３）に対して斜め方向に対向する二つの第２の支持杆（４２）（５８）をそれぞれ設け、上記第１の支持杆（１３）と上記第２の各支持杆（４２）（５８）との間に伸縮自在な支持ブレス（８７）（８７）を回動自在に架設したことを特徴とする折り畳み階段装置。
【請求項２】
上りの階段および下りの階段の両側部にはこれらの上部に倒れるように折り畳み可能な手摺（２７）が設けられていることを特徴とする請求項１に記載の折り畳み階段装置。
【請求項３】
第１の支持杆（１３）に第１の支持ブラケット（８６）を設け、第２の支持杆（４２）（５８）にそれぞれ第２の支持ブラケット（８５）を設け、これらの各ブラケット（８６）（８５）に対して各支持ブレス（８７）（８７）の両端をピン（８８）（８８）を介して回動自在に連結させ、更に上記支持ブレス（８７）（８７）をパイプ杆（８７ａ）とこのパイプ杆（８７ａ）内に摺動自在に挿入したロッド（８７ｂ）とで構成すると共にロッド（８７ｂ）の摺動位置をパイプ杆（８７ａ）の外周から螺合したボルト（８９）によってロック又はロック解除可能にしていることを特徴とする請求項１又２に記載の折り畳み階段装置。
【発明の詳細な説明】
【０００１】
【発明の属する技術分野】
この発明は、既設の建造物の補修工事や改修工事を行う場合等に、その建造物に近接して設立されて利用される折り畳み階段装置に関する。
【０００２】
【従来の技術】
建造物の補修工事や改修工事を行う場合には、従来から、例えば四本の建枠に昇降用の斜路部分（階段）と、この斜路部分の長手方向の端部に連なる踊り場床とを設けた種々の仮設昇降装置が用いられている。
【０００３】
かかる仮設昇降装置は、全体として、四本の建枠内に斜路部分や踊り場床を一体組み付けしたものとして構成されたり、あるいはこれらを分解可能に組み付けたものとして構成され、その組付構造は一般に複雑となる。そして、所定の強度，耐久性，安全性が得られるように補強手段が必要に応じ講じられている。
【０００４】
【発明が解決しようとする課題】
しかしながら、かかる従来の仮設昇降装置のうち、上記のように一体組み付けを行ったものでは、これを工事現場へ運搬したり、工事現場から引き揚げる場合にかさばるために、運搬費用が高くなるほか、大形のものでは車両条件や道路条件によって運搬が行えない場合があるという課題があった。
【０００５】
一方、これに対し、上記のように分解可能に組み付けが可能な仮設昇降装置では、工事現場において建造物に接近して組み付ける作業が面倒で、組み付け作業の効率が悪くなるほか、仮設昇降装置を構成する各組付部材，部品の管理を十分に行う必要があり、それらの紛失や欠落が構造物の安全性，信頼性を損なうという課題があった。
【０００６】
この発明は上記のような課題を解決するものであり、斜路部分である階段や回動踊り場床を建枠内で折り畳み可能とすることで、全体の占有空間を任意に縮小可能にし、これにより運搬および取り扱いを簡易化できるとともに、狭小空間での設立も容易に実現できる、安全性，信頼性の高い折り畳み階段装置を得ることを目的とする。
【０００７】
【課題を解決するための手段】
上記の目的を達成する為、請求項１の発明は、前側一対の建枠と、後側一対の建枠からなる 二対の建枠のうち、前側一対の建枠間に架設された複数階の踊り場床と、後側一対の建枠間に上記踊り場床に対し高さ方向に段違いとなるように複数段に亘って架設されて外端部側で互いに独立して回動自在に枢支された二つ割りの回動踊り場床と、これらの回動踊り場床のうち一方の回動踊り場床の端部に上端部が枢支された下りの階段と、回動踊り場床のうち他方の回動踊り場床の内端部に下端部が枢支された上りの階段と、回動踊り場床の下位にある踊り場床に対し下りの階段の下端部を移動自在に支持する第一のガイド部材と、回動踊り場床の上位にある踊り場床に対し上りの階段の上端部を移動自在に支持する第二のガイド部材とを備えた折り畳み階段装置において、前側一対の建枠に第１の支持杆）をそれぞれ設け、後側一対の建枠に上記支持杆に対して斜め方向に対向する二つの第２の支持杆をそれぞれ設け、上記第１の支持杆と上記第２の各支持杆との間に伸縮自在な支持ブレスを回動自在に架設したことを特徴とするものである。
【０００８】
また、請求項２の発明にかかる折り畳み階段装置は、上り階段および下りの階段の両側部にこれらの上部に倒れるように折り畳み可能な手摺を設けたものである。
【０００９】
また、請求項３の発明にかかる折り畳み階段装置は、第１の支持杆に第１の支持ブラケットを設け、第２の支持杆にそれぞれ第２の支持ブラケットを設け、これらの各ブラケットに対して各支持ブレスの両端をピンを介して回動自在に連結させ、更に上記支持ブレスをパイプ杆とこのパイプ杆内に摺動自在に挿入したロッドとで構成すると共にロッドの摺動位置をパイプ杆の外周から螺合したボルトによってロック又はロック解除可能にしていることを特徴とする。
【００１０】
【発明の実施の形態】
以下本発明の実施の一例を図に基づいて説明する。
本発明の折り畳み階段装置の基本構造は、図１に示すように、前側一対の建枠（４ａ）（４ｂ）と、後側一対の建枠（４ｃ）（４ｄ）からなる 二対の建枠のうち、前側一対の建枠間に架設された複数階の踊り場床（５ａ）（５ｂ）（７ａ）（７ｂ）（９ａ）（９ｂ）と、後側一対の建枠間に上記踊り場床に対し高さ方向に段違いとなるように複数段に亘って架設されて外端部側で互いに独立して回動自在に枢支された二つ割りの回動踊り場床（６ａ）（６ｂ）（８ａ）（８ｂ）と、これらの回動踊り場床のうち一方の回動踊り場床（６ａ）（８ａ）の内端部に上端部が枢支された下りの階段（１１）（６２）と、回動踊り場床のうち他方の回動踊り場床（６ｂ）（８ｂ）の内端部に下端部が枢支された上りの階段（１２）（６５）と、回動踊り場床の下位にある踊り場床に対し下りの階段の下端部を移動自在に支持する第一のガイド部材（４４）と、回動踊り場床の上位にある踊り場床に対し上りの階段の上端部を移動自在に支持する第二のガイド部材（５５）とを備えたものである。
そして、本発明の特徴とする構成は、図１２、図１３に示すように、前側一対の建枠（４ａ）（４ｂ）に第１の支持杆（１３）をそれぞれ設け、後側一対の建枠（４ｃ）（４ｄ）に上記支持杆（１３）に対して斜め方向に対向する二つの第２の支持杆（４２）（５８）をそれぞれ設け、上記第１の支持杆（１３）と上記第２の各支持杆（４２）（５８）との間に伸縮自在な支持ブレス（８７）（８７）を回動自在に架設したことである。
この場合、第１の支持杆（１３）に第１の支持ブラケット（８６）を設け、第２の支持杆（４２）（５８）にそれぞれ第２の支持ブラケット（８５）を設け、これらの各ブラケット（８６）（８５）に対して各支持ブレス（８７）（８７）の両端をピン（８８）（８８）を介して回動自在に連結させ、更に上記支持ブレス（８７）をパイプ杆（８７ａ）とこのパイプ杆（８７ａ）内に摺動自在に挿入したロッド（８７ｂ）とで構成すると共にロッド（８７ｂ）の摺動位置をパイプ杆（８７ａ）の外周から螺合したボルト（８９）によってロック又はロック解除可能にしている。
以下更に詳しく説明する。
【００１１】
また、この四角枠鋼２上面の四隅部には、点線で示すような支持筒３が溶接などによって一体に突設されている。そして、これらの各支持筒３には、それぞれ筒状の建枠４ａ，４ｂ，４ｃ，４ｄの下端が挿し込まれて、これらが上方に向って直立するように支持されている。
【００１２】
そして、互いに対向する各一対の建枠４ａ，４ｂ間および４ｃ，４ｄ間には、例えばＥ字形のフレームＦ１，Ｆ２が複数段に亘って互い違いに取り付けられており、各フレームＦ１，Ｆ２には一対の踊り場床５ａ，５ｂ、７ａ，７ｂ、９ａ，９ｂおよび一対の回動踊り場床６ａ，６ｂ，８ａ，８ｂが図示のように配置されている。
【００１３】
ここで、踊り場床５ａ，５ｂ，７ａ，７ｂ，９ａ，９ｂはフレームＦ１に固定的に取り付けられ、回動踊り場床６ａ，６ｂ，８ａ，８ｂはフレームＦ２に対して回動可能に枢支されている。この回動構造の詳細は、図２，図３において説明するが、図１では、仮に、各回動踊り場床６ａ，６ｂ，８ａ，８ｂをブラケット１０ａ上の支軸１０ｂに枢支したものとして示してある。
【００１４】
また、図上、一方の一対の建枠４ａ，４ｂ側に支持されて二つ割りされた二段目の回動踊り場床６ａ，６ｂのうち、一方の回動踊り場床６ａの内端部には、踊り場床５ａへの下りの階段１１の上端部が枢支されており、さらに他方の回動踊り場床６ｂの内端部には、踊り場床７ｂへの上りの階段１２の下端部が枢支されている。
【００１５】
図２および図３は、かかる下りの階段１１および上りの階段１２の枢支構造を詳細に示す分解斜視図である。上記の二つ割りとされた回動踊り場床６ａ，６ｂはフレームＦ２の三本の支持杆１３間に介装されている。
【００１６】
各回動踊り場床６ａ，６ｂを構成する矩形枠Ｗの外端部に突設されたヒンジ片３０，３２が、フレームＦ２の支持杆１６内側に突設されたブラケット３５，３６に回動自在に支持されている。矩形枠Ｗにはステップとしてのラス網が張設されている。
【００１７】
なお、かかるヒンジ片３０，３２の回動は、各ヒンジ片３０の取付孔２９およびブラケット３５の取付孔３４に、また、各ヒンジ片３２の取付孔３１およびブラケット３７の取付孔３６にそれぞれボルト３８を通してナット３９で止めることにより、可能となる。
【００１８】
各回動踊り場床６ａを構成する矩形枠Ｗの内端側上面および回動踊り場床６ｂを構成する矩形枠Ｗの内端側下面には、各支持杆１３に対しそれぞれ一方および他方への回動を規制する回動規制片ａ，ｂが取り付けられている。
【００１９】
さらに、回動踊り場床６ａの内端側下面および回動踊り場床６ｂの内端側上面にそれぞれ取付孔１４を持った一対のブラケット１５および取付孔１７を持った一対のブラケット１８が取り付けられている。
【００２０】
なお、上記の各回動規制片ａ，ｂには透孔ａ１，ｂ１がそれぞれ設けられ、支持枠１３に設けられた各透孔１３ａにその各透孔ａ１，ｂ１を合わせて、ボルトＰを挿入し、このボルトＰに抜け止めピンＮを嵌合することで、各回動踊り場床６ａ，６ｂの各支持杆１３に対する水平移動および回動が規制されている。
【００２１】
一方、下りの階段１１の両側には補強用の長尺の斜杆１９が一体に取り付けられており、これらの上端には取付孔２０が設けられている。
【００２２】
従って、その斜杆１９の上端と支持杆１３のブラケット１５とを互いに接合し各取付孔１４，２０にボルト２１を挿通し、これにナット２２をねじ込むことで上記のように、回動踊り場床６ａの内端に下りの階段１１の上端を、枢支することができる。
【００２３】
同様にして、上りの階段１２の両側にも長尺の斜杆２３が一体に取り付けられており、これらの下端には取付孔２４が設けられている。
【００２４】
従って、その斜杆２３の下端と回動踊り場床６ｂの矩形枠Ｗに設けられたブラケット１８を接合し、各取付孔１７，２４にボルト２５を挿通し、これにナット２６をねじ込むことで、回動踊り場床６ｂの内端に上りの階段１２の下端を、上記のように枢支することができる。
【００２５】
また、各斜杆１９，２３には階段用の手摺２７を取り付けるための取付筒２８が取り付けられている。これらの手摺２７は各斜杆１９，２３に立設した取付筒２８内に下端部が挿入されてねじ固定されている。
【００２６】
なお、図では詳しく示していないが、上記の手摺２７は上記ねじを緩め、これらの下端部を取付筒２８から僅か引き上げて、各階段１１，１２上へ寝かせるようにすることで、各階段１１，１２上への折り畳みが可能な取付構造とされている。
【００２７】
また、フレームＦ２の左右端の各支持杆１３上面には、図１に示すような手摺４０が立設され、また、各建枠４ａ，４ｂ間の支持杆１６上にも手摺４１が立設されている。
【００２８】
図４および図５は最下段の左右の回動踊り場床５ａ，５ｂのうち、回動踊り場床５ａの取付構造を示す。これらの回動踊り場床５ａ，５ｂは二本の建枠４ｃ，４ｄ間に架設されたＥ字状のフレームＦ１に一体に形成され、これらの回動踊り場床５ａ，５ｂの両側に位置するフレームＦ１の支持杆４２は、間隙Ｇ１を介する二つ割り構造とされている。なお、ここでは、この支持杆４２は二本のチャンネル部材を対向配置したものとして構成されている。
【００２９】
そして、二本のチャンネル部材の対向側には、ロール走行路ｃ，ｄが設けられている。４３は上記の間隙Ｇ１に一部が挿入可能な板金のＬ字金具で、これの下部にはロール走行路ｃ，ｄ上を回転しながら走行する四個の第一のガイド部材としてのガイドロール４４が取り付けられている。
【００３０】
また、Ｌ字金具４３の二対の第一のガイド部材４４間には走行止めピン用の透孔４５が設けられ、さらに、そのＬ字金具４３の上記間隙Ｇ１の上方へ突出する部位には、取付孔４６が設けられている。
【００３１】
支持杆４２は先端部の側面に内外に貫通する透孔４２ａを有し、この透孔４２ａとＬ字金具４３に設けられた透孔４５とに走行止めピン４７を挿し込むことで各ガイドロール４４のロール走行路ｃ，ｄにおける走行を規制可能にしており、この走行止めピン４７抜き取ることで、ガイドロール４４の回転走行が可能となる。なお、４８は支持杆４２の先端部上面に設けられた手摺４９取付用の取付孔である。
【００３２】
そして、Ｌ字金具４３のうち間隙Ｇの上方に突出する部分には、上記下りの階段１１の側面に一体に設けられた斜杆１９の下端が当接され、この斜路１９の下端に形成された取付孔５０とＬ字金具４３の取付孔４６にボルト５１を通して、これにナット５２がねじ込まれることで、下りの階段１１の下端が踊り場床５ａの内端に枢支される。
【００３３】
従って、走行止めピン４７を各透孔４２ａ，４５から引き抜けば、Ｌ字金具４３は間隙Ｇ１内を後方へ移動可能となり、これによって階段１１の下端が同方向へ移動し、後述のような階段１１の折り畳みを可能にしている。
【００３４】
図６および図７は上記の踊り場床７ａ，７ｂと、これらの踊り場床７ａ，７ｂへの上りの階段１２およびこれらの踊り場床７ａ，７ｂへの下りの階段６２との取付構造を示す。まず、上りの階段１２の両側には、上記のような斜杆２３が取り付けられており、これらの斜杆２３の上端には取付孔５３が設けられている。
【００３５】
また、踊り場床７ａ，７ｂは二本の建枠４ｃ，４ｄ間に架設されたＥ字状のフレームＦ１に一体に形成され、これらの踊り場床７ａ，７ｂの両側に位置するフレームＦ１を構成する支持杆５８が、間隙Ｇ２を介する二つ割り構造とされている。なお、ここではこの支持杆５８は二本のチャンネル部材を対向したものとして構成されている。
【００３６】
また、この間隙Ｇ２を介して、各踊り場床７ａ，７ｂの対向面側には、ロール走行路ｅ，ｆが設けられている。なお、５８ａは踊り場床７ａ，７ｂの対向部に形成された走行止めピン挿入用の透孔である。
【００３７】
そして、上記間隙Ｇ２には板金のＴ字金具５４が移動自在に介装されている。このＴ字金具５４には、ロール走行路ｅ，ｆ上に回転する四個の第二のガイド部材としてのガイドロール５５が取り付けられて、上下片に各一の取付孔５６，５７が設けられている。５９はＴ字金具５４に設けられて、上記の透孔５８ａとともに走行止めピン（図示しない）が挿入される透孔である。
【００３８】
また、取付孔５７が設けられた上記Ｔ字金具５４の下片と階段１２の斜杆２３の上端とが接合され、各取付孔５３，５７にボルト６０を通し、さらにこれにナット６１をねじ込むことで、その斜杆２３の上端がＴ字金具５４に対し枢支される。つまり、階段１２の上端が、Ｔ字金具５４を介して踊り場床７ｂの内端に移動自在に支持されることとなる。
【００３９】
さらに、Ｔ字金具５４の上片には、回動踊り場床８ａ，８ｂへの上りの階段６２の両側部に一体に設けられた斜杆６３の下端が、ボルト６４および図示しないナットにより、枢支固定されている。
【００４０】
なお、これらの斜杆２３，６３には、それぞれ手摺２７を取り付けるための取付筒２８が一体に取り付けられている。
【００４１】
また、図１における回動踊り場床８ｂと、この回動踊り場床８ｂへの下りの階段６５の斜杆６６下端との取り付けは、回動踊り場床６ｂと上記の上り階段１２すなわち、その回動踊り場床６ｂへの下りの階段１２の斜杆２３との取り付けと同様にして行われている。
【００４２】
さらに、その下りの階段６５の斜杆６６の上端と、最上位にある二つの踊り場床９ａ，９ｂのうち、図上、右方の踊り場床９ｂ（図示しない）との取り付けは上り階段１２の斜杆２３と踊り場床７ｂとの取り付けと同様にして行われる。
【００４３】
なお、４９は踊り場床５ａ，回動踊り場床６ａの支持杆４２に立設された手摺で建枠４ｃ，４ｄ間に上記と略同様のＥ字状のフレームＦ１および手摺６７が設けられている。６８は踊り場床５ｂと地上とを結ぶ階段であり、この階段６８の取付部位では手摺６７が省かれている。
【００４４】
また、上記の四本の建枠４ａ，４ｂ，４ｃ，４ｄ上にはそれぞれ支持筒６９が一体に突設されており、これらの各支持筒６９には、上記とは同一構成の折り畳み階段装置の建枠４ｅ，４ｆ，４ｇ，４ｆの下端が挿し込まれて、上方に向って直立可能とされている。
【００４５】
このように折り畳み階段装置を二段以上に積み上げた場合には、更に高層の既設建物の補修足場として利用可能になる。
【００４６】
なお、この場合には上記回動踊り場床８ｂへの下りの階段６５に一体の斜杆６６上端が、上記の踊り場床７ｂの上方に臨む最上部の右側の踊り場床９ｂの一端に、上記と同様のＴ字金具やＬ字金具、およびガイド部材を介して支承される。ここで、フレームＦ１からなる踊り場床９ａのステップ部（ラスネット）は、図８に示すように取り外されている。
【００４７】
また、図８に示すように積み上げられた上段の折り畳み階段装置側の踊り場床のうち、最下段にある踊り場床５ａ，５ｂは、基本的に下段の折り畳み階段装置の踊り場床５ａ，５ｂと同一取付構造を持つが、ここでは踊り場床５ｂのステップ部が取り外されている。
【００４８】
そして、踊り場床９ｂ側の支持杆４２を構成する二つ割りのチャンネル部材７２ａ，７２ｂ間を移動する、図７に示したものと同様のＴ字金具５４の取付孔５７と階段６５の斜杆６６端の取付孔７３とに、ボルト７４が通されて、足場床９ｂの内端部と下りの階段６５とが枢支結合されている。
【００４９】
また、上段に積層された上記の折り畳み階段装置は下段のそれと基本的に同一構造であるが、図１に示すように最下段のフレームＦ１においては、踊り場床５ｂに対応するステップ部（ラスネット）が取り外されている。
【００５０】
また、Ｌ字金具４３の一部には、踊り場床５ａへの下りの階段１１に設けられた斜杆１９下端が、ボルト５１およびナット５２によって枢支されている。４７は支持杆４２の一部に挿通されてＬ字金具４３の間隙Ｇ１における移動を規制する走行止めピンである。
【００５１】
この発明の折り畳み階段装置は以上のように組み立てて構成されており、これを運搬しようとする場合には、複数段に積み上げられた折り畳み階段装置を、上位の建枠４ｅ，４ｆ，４ｇ，４ｈを支持筒６９から外し、さらに、建枠４ａ，４ｂ，４ｃ，４ｄを支持筒３から外すようにして、最上段から順にクレーンで地上に吊り降ろす。また、各階段１１，１２，６２，６５上の手摺２７をこれらの上に寝かせるようにして折り畳む。
【００５２】
このようにクレーンで折り畳み階段装置を地上に吊り降す際には、例えば図９に示すように、二本の建枠４ａ，４ｂの両端に四本のワイヤ７５端を掛け、さらに、これを一本のワイヤ７６を介して吊り下げ、折り畳み階段装置の全体を横に寝かせるようにして地上に降ろしていく。
【００５３】
次に、このように地上に降ろした状態の折り畳み階段装置の、図１に示すような各階段１１，１２，６２，６５の各手摺２７を、これらの各階段１１，１２，６２，６５上に寝かせるようにして折り畳むように重ねる。
【００５４】
また、これに並行して、透孔４２ａ，４５から走行止めピン４７を抜くとともに、透孔５８ａ，５９から図示しない走行止めピン（図示しない）を抜き取る。
【００５５】
かかる状態で、クレーンによりワイヤ７５，７６を介して折り畳み階段装置をゆっくり吊り降ろしていく。この吊り降ろし状態においては、図１０に示すように、自身の重みで建枠４ａ，４ｂが下降するが、このとき、二枚の回動踊り場床６ａ，６ｂはブラケット３５，３７上のボルトに枢支されて垂下した状態となるとともに、回動踊り場床６ａ，６ｂの下端（内端）に、ボルト２１，ナット２２によって枢支された各階段１１，１２が、それぞれ「ハ」の字形に吊り下げられる。このとき、各階段１１，１２の下端は、図１０において支持杆４２，４８上にある。
【００５６】
そして、ワイヤ７５，７６をさらにゆっくり吊り降ろしていくと、各階段１１，１２の各斜杆１９，２３の下端（図１０において）が、Ｌ字金具４３およびＴ字金具５４とともに、各間隙Ｇ１，Ｇ２内を各ガイドローラ４４，５５により下方へ移動（後退）していく。
【００５７】
このとき、各回動踊り場床６ａ，６ｂは回動規制片ａ，ｂによってそれぞれ一方に回動規制されているため、その後退が止まると、こんどは各階段１１，１２の重みによって、各斜杆１９，２３の上端部により、図中、互いに左右方向（反対方向）に押しやられて、図１０の実線で示すように、「ハ」の字状に開く。そして、各回動踊り場床６ａ，６ｂが最大限開くと、遂には、各階段１１，１２は前後に互い違いとなるように、略水平に折り畳まれることとなる。
【００５８】
一方、上記の折り畳み階段装置を、既設建物の修復等に利用する場合には、上記のような、折り畳み状態の折り畳み階段装置をトラックに載せて運搬し、作業現場にて、クレーンを用いて、上記とは逆の手順で図１に示すように立上げる。
【００５９】
このとき、各階段１１，１２，６２，６５の手摺２７を起立させて固定し、走行止めピン４７を透孔４２ａ，４５に挿し込み、図示しない走行止めピンを透孔５８ａ，５９に挿し込むことで、折り畳み階段装置は作業足場として、あるいは作業階への昇降用として利用することができる。
【００６０】
図１１は、図１に示すように二段に積み上げられた上段の折り畳み階段装置の四本の建枠４ｅ，４ｆ，４ｇ，４ｈ上端に、片持タイプの支持梁７７を固定し、滑車７８を介して、支持梁７７先端を吊持するワイヤ７９を地上方向へけん引保持するようにしたものを示す。
【００６１】
従って、この支持梁７７の先端には重量物であるワイヤ巻上げ機８１の取り付けが可能となり、このワイヤ巻上げ機８１により吊持される巻上げ，巻戻し自在のワイヤ８２，８３に渡り橋８０を吊持させ、所定高さで、その折り畳み階段装置と他の構造物８４との間に掛け渡すことで、その渡り橋８０を構造物８４の高所位置へ昇降させて、高所作業用の作業通路や作業足場として利用可能になる。
【００６２】
なお、上記実施の形態では、二本の建枠４ａ，４ｂの両端に四本のワイヤ７５端を掛け、さらにこれを一本のワイヤ７６を介して、クレーンで吊り下げ、地上に降ろし自重にて折り畳む際には、支持杆４２に設けられた透孔４２ａおよびＬ字金具４３に設けられた透孔４５に挿し込まれているピン４７を抜き取り、さらに支持杆５８に設けられた透孔５８ａおよびＴ字金具５４に設けられた透孔５９に挿し込まれているピン（図示しない）を抜き取ることが必要である。
【００６３】
ところで、上記クレーンによりワイヤ７６で建枠４ａ，４ｂを吊り下げている作業途中において、そのクレーン付近でまたは建枠４ｃ，４ｄ上に乗るなどして、作業員が上記ピン４７等を抜き取る作業を行うことは極めて危険となる場合がある。
【００６４】
そこで、このような危険を回避し、かつ階段装置の折り畳みをスムースに行えるようにするため、図１２に示すように、建枠４ａに設けられた支持杆１３およびこれに対し斜め方向に対向する建枠４ｃに設けられた支持杆４２，５８に、支持ブラケット８５，８６がそれぞれ設けられて、これらの各ブラケット８５，８６に対し、伸縮自在の支持ブレス８７の両端が、ピン８８にてそれぞれ回動自在に図示のように順次連結されている。
【００６５】
このうち、支持ブレス８７はパイプ杆８７ａ内にロッド８７ｂを摺動自在に設けて、そのロッド８７ｂの摺動位置を、パイプ杆８７ａの外周から螺合したボルト８９によってロックおよびロック解除可能にしている。なお、パイプ杆８７ａ内に突出するように取り付けたピン９０に沿って、ロッド８７ｂに設けられた直線状の長孔や長溝をガイドさせることで、パイプ杆８７ａ内でのロッド８７ｂの摺動を円滑にすることが可能になる。
【００６６】
従って、かかる支持ブレス８７は、折り畳み階段装置を図１に示すように立ち上げた状態においては、図１２に示すように、最も伸長した状態で、ボルト８９によりパイプ杆８７ａに対するロッド８７ｂのロックが行われる。このため、各支持杆１３と支持杆４２，５８とを各支持ブレス８７が突っ張るように、図１２中水平方向に支持し、これらの相対距離が固定的に安定に維持される。
【００６７】
従って、これらの相対距離が安定に維持されることで、図４および図５に示す支持杆４２およびＬ字金具４３に設けられた各透孔４２ａ，４５からピン４７が抜かれていても、また、図６および図７に示す支持杆５８およびＴ字金具５４に設けられた透孔５８ａ，５９からピン（図示しない）が抜かれていても、各ガイドロール４４，５５がロール走行路ｃ，ｄ，ｅ，ｆ上に自由に走行することができず、従って、斜杆１９，６３端などが各支持杆４２，５８に沿って自由に移動することはない。
【００６８】
一方、折り畳み階段装置を折り畳む場合には、これをクレーンを用いて、チェーン７５，７６により図１３に示すように横にして吊り下げて、静かに地上に降ろし、その折り畳み階段装置の直ぐ横で、支持ブレス８７のボルト８９を緩めればよい。
【００６９】
これにより、チェーン７５，７６をさらに静かに降ろしていく過程で、パイプ杆８７ａ内にロッド８７ｂが進入しながら支持ブレス８７が収縮し、さらに建枠４ａ，４ｂの重みで、遂には支持杆１３端が建枠４ｃ，４ｄに当たる位置に至り、折り畳みが終了する。
【００７０】
このとき、各ガイドロール４４，４５はロール走行路ｃ，ｄ，ｅ，ｆ上を自由に走行するため、各斜杆１９，６３端が各支持杆４２，５８に沿って軽快に移動し、各斜杆１９，６３の折り畳みも同時に行われる。
【００７１】
なお、この折り畳み状態からの階段装置の立ち上げは上記同様にして行われ、立ち上げ後に支持ブレス８７のボルト８９が堅く締め付けられることで、起立構造が安定に保持される。
【００７２】
【発明の効果】
、請求項１の発明によれば、前側一対の建枠（４ａ）（４ｂ）と、後側一対の建枠（４ｃ）（４ｄ）からなる 二対の建枠のうち、前側一対の建枠間に架設された複数階の踊り場床（５ａ）（５ｂ）（７ａ）（７ｂ）（９ａ）（９ｂ）と、後側一対の建枠間に上記踊り場床に対し高さ方向に段違いとなるように複数段に亘って架設されて外端部側で互いに独立して回動自在に枢支された二つ割りの回動踊り場床（６ａ）（６ｂ）（８ａ）（８ｂ）と、これらの回動踊り場床のうち一方の回動踊り場床（６ａ）（８ａ）の内端部に上端部が枢支された下りの階段（１１）（６２）と、回動踊り場床のうち他方の回動踊り場床（６ｂ）（８ｂ）の内端部に下端部が枢支された上りの階段（１２）（６５）と、回動踊り場床の下位にある踊り場床に対し下りの階段の下端部を移動自在に支持する第一のガイド部材（４４）と、回動踊り場床の上位にある踊り場床に対し上りの階段の上端部を移動自在に支持する第二のガイド部材（５５）とを備えているから、斜路部分である階段や回動踊り場床を建枠内で折り畳み自在とすることができ、従って折り畳み階段装置全体の占有空間を任意に縮小可能にし、これにより運搬および取り扱いを簡易化できるとともに、作業現場での狭小空間における設立も容易に実現できるという効果が得られる。
更に、第１の支持杆（１３）に第１の支持ブラケット（８６）を設け、第２の支持杆（４２）（５８）にそれぞれ第２の支持ブラケット（８５）を設け、これらの各ブラケット（８６）（８５）に対して各支持ブレス（８７）（８７）の両端をピン（８８）（８８）を介して回動自在に連結させ、更に上記支持ブレス（８７）をパイプ杆（８７ａ）とこのパイプ杆（８７ａ）内に摺動自在に挿入したロッド（８７ｂ）とで構成すると共にロッド（８７ｂ）の摺動位置をパイプ杆（８７ａ）の外周から螺合したボルト（８９）によってロック又はロック解除可能にしているから、従来のように折畳み作業時に必要とされる面倒で危険なピン抜き作業をなくすることができ、これにより折り畳み作業の能率化，安全性を確保できるという効果が得られる。
【００７３】
また、請求項２の発明によれば、上り階段および下りの階段の両側部にこれらの上部に倒れるように折り畳み可能な手摺を設けるように構成したので、階段や回動踊り場床などとともに、収縮するようにつぶされた建枠内に手摺をコンパクトに収納できるという効果が得られる。
【図面の簡単な説明】
【図１】この発明の実施の一形態による折り畳み階段装置を示す斜視図である。
【図２】図１における階段と回動踊り場床との取付構造を分解して示す要部の斜視図である。
【図３】図１における回動踊り場床を分解して示す要部の斜視図である。
【図４】図１における他の階段と踊り場床との取付構造を分解して示す要部の斜視図である。
【図５】図４に示すＬ字金具の取付構造を分解して示す斜視図である。
【図６】図１におけるさらに他の階段と踊り場床との取付構造を分解して示す要部の斜視図である。
【図７】図６に示すＴ字金具の取付構造を分解して示す斜視図である。
【図８】二段積みした折り畳み階段装置の階段および足場床の取付構造を示す要部の分解斜視図である。
【図９】この発明の折り畳み階段装置を吊り下げた状態を示す斜視図である。
【図１０】この発明の折り畳み階段装置を折り畳む状況を示す斜視図である。
【図１１】この発明の折り畳み階段装置に渡り橋を吊持する状況を示す説明図である。
【図１２】この発明の実施の他の形態による支持ブレスの取付構造を示す要部の正面図である。
【図１３】図１２における支持ブレスを持った折り畳み階段装置を吊り下げた状態を示す斜視図である。
【符号の説明】
４ａ，４ｂ，４ｃ，４ｄ，４ｅ，４ｆ，４ｇ，４ｈ  建枠
５ａ，５ｂ，７ａ，７ｂ，９ａ，９ｂ  踊り場床
６ａ，６ｂ，８ａ，８ｂ  回動踊り場床
１１，１２，６２，６５  階段
１３，１６，４２，５８  支持杆
２７  手摺
４４  ガイドロール（第一のガイド部材）
５５  ガイドロール（第二のガイド部材）
８７  支持ブレス
【図１】
0004030078.tif 000002
【図２】
0004030078.tif 000003
【図３】
0004030078.tif 000004
【図４】
0004030078.tif 000005
【図５】
0004030078.tif 000006
【図６】
0004030078.tif 000007
【図７】
0004030078.tif 000008
【図８】
0004030078.tif 000009
【図９】
0004030078.tif 000010
【図１０】
0004030078.tif 000011
【図１１】
0004030078.tif 000012
【図１２】
0004030078.tif 000013
【図１３】
0004030078.tif 000014